(57)【要約】      （修正有）【課題】インターネットでの流通市場において、実用性の高いセールスプロモーションシステムを提供する。【解決手段】インターネットを利用し商品販売キャンペーンの広告宣伝を行いたいクライアントと、該広告宣伝に協力したい第三者インターネット店舗がマッチングサイト上で提携することにより、提携するインターネット店舗サイトでクライアントの宣伝広告を露出し、店舗サイト来訪顧客にアピールする。その見返りとしてクライアントが同店舗販売促進用の資金を提供し、その原資をベースに店舗側は商品価格値引きを実施する。【選択図】図１
2013105476.tif 000002
【特許請求の範囲】
【請求項１】
インターネットを利用し商品販売キャンペーンの広告宣伝を行いたいクライアントと、該広告宣伝に協力したい第三者インターネット店舗がマッチングサイト上で提携することにより、該インターネット店舗で買物を行うインターネット店舗訪問顧客を含むステークホルダー全員が利益獲得を可能とするセールスプロモーションシステムであって、
１）クライアント側に、広告宣伝内容、該キャンペーン提携者募集情報の紹介を可能とするクライアント側情報端末と、
２）第三者インターネット店舗側に、クライアント提供情報の閲覧、該提携者募集情報に呼応し参加申請を可能とするインターネット店舗側情報端末と、
３）第三者マッチングサイト訪問顧客側に、クライアントと第三者インターネット店舗との提携状況を閲覧し、該キャンペーンに参加するための手続きを可能とするマッチングサイト訪問顧客側情報端末と、
４）クライアント、第三者インターネット店舗及び第三者マッチングサイト訪問顧客の間にインターネットを介し位置するキャンペーン提携マッチング管理サイトにおいて、キャンペーン提携ホームページ画面、運営要領解説画面、クライアント会員登録画面、クライアントキャンペーン情報公開及び提携者募集要領登録画面、キャンペーン提携成果確認画面を含むクライアントインターフェイス部と、
５）クライアント、第三者インターネット店舗及び第三者マッチングサイト訪問顧客の間にインターネットを介し位置するキャンペーン提携マッチング管理サイトにおいて、キャンペーン提携ホームページ画面、運営要領解説画面、インターネット店舗会員登録画面、インターネット店舗会員提携申請画面、提携確定通知及び自店舗サイトリンク操作画面を含むインターネット店舗会員インターフェイス部と、
６）クライアント、第三者インターネット店舗及び第三者マッチングサイト訪問顧客の間にインターネットを介し位置するキャンペーン提携マッチング管理サイトにおいて、キャンペーン提携ホームページ画面、運営解説画面、キャンペーン提携状況及び商品価格値引き販売情報一覧画面を含むマッチングサイト訪問顧客インターフェイス部と、
７）クライアント会員に関する情報を登録管理するクライアント会員情報登録データベースと、
８）インターネット店舗会員に関する情報を登録管理するインターネット店舗会員情報登録データベースと、
９）クライアントが提供するキャンペーン情報及び提携者募集情報を管理登録するクライアントキャンペーン情報データベースと、
10）キャンペーン終了後にクライアントからインターネット店舗に対し支払われる提携料金の確定情報を登録管理する提携料金確定情報データベースと、
11）提携した各々のインターネット店舗の成果として、少なくともキャンペーン期間中のクライアント広告閲覧回数ノルマ達成率情報を管理登録する提携成果情報データベースと、
12）クライアントとインターネット店舗との提携成立情報及び該付帯条件情報を管理登録する提携成立情報データベースと、
13）クライアントから提供されるキャンペーン提携者募集条件と、応募した第三者インターネット店舗の申請内容を照合し、少なくとも複数応募者間のキャンペーンノルマ配分の決定を行う提携具体化調整機能部と、
14）キャンペーン提携中のインターネット店舗のキャンペーンノルマの達成進捗状況を
リアルタイムに監視する提携作業進捗監視機能部と、
15）キャンペーン提携したインターネット店舗のクライアント広告閲覧回数ノルマ達成率情報をもとに該店舗に対し支払うべき提携料金の計算を行う提携料金精算機能部と
を備え、クライアントがインターネットを利用し商品販売キャンペーンの広告宣伝を行う際に、提携した第三者インターネット店舗（提携インターネット店舗）に対し、該キャンペーン広告を同店舗サイト上で掲載しインターネット店舗訪問顧客にアピールすることを義務付け、一方該見返り条件として、同店舗販売促進に関る商品価格値引き資金を同店舗に提供すること及び該キャンペーン実施要領を本発明に関るキャンペーン提携マッチング管理サイトにて公開し、該内容を閲覧した第三者マッチングサイト訪問顧客を該提携インターネット店舗での買物行為に誘導し、更に該提携インターネット店舗サイトを直接訪問したインターネット店舗訪問顧客に対しても該クライアントが値引きサービスを伴うキャンペーン実施中である旨をアピールすることにより、同店舗の買物件数が増加し、前記提携インターネット店舗にとっては値引き原資補填効果による収益拡大、クライアントにとってはキャンペーン広告の露出頻度向上、前記提携インターネット店舗の訪問顧客にとっては商品値引き特典を獲得することができ、ステークホルダー全員が利益獲得を可能とすることを特徴とするセールスプロモーションシステム。
【請求項２】
クライアントが情報登録し前記第三者インターネット店舗に供する前記クライアントキャンペーン情報公開及び前記提携者募集要領登録画面には、少なくともクライアント企業名、提携料金総額、提携店舗における値引き対象商品指定、提携店舗での対象商品販売の際に抽選もしくは一律値引きかの形態指定、単一商品当たりの値引き額指定、キャンペーン開始予定期日、同終了予定期日、キャンペーン制限時間到達時クライアント要求ノルマ未達成時のキャンペーン打切りもしくは続行の判断を行うタイムオーバー処理指定、インターネット店舗の所属ショッピングモール指定、該キャンペーン提携への募集店舗希望数指定、及び該キャンペーン商品の宣伝広告を登録することを可能としたことを特徴とする請求項１に記載のセールスプロモーションシステム。
【請求項３】
前記キャンペーン提携マッチング管理サイトが作成し、クライアントに供する前記キャンペーン提携成果確認画面には、少なくとも提携各店舗名、各店舗対応のキャンペーン開始期日、同終了期日、クライアント広告閲覧回数に関するノルマと実績、同実績到達に関るキャンペーン時間タイムオーバー有無情報、各店舗獲得値引き資金額、各店舗獲得資金額合計値を表記することを可能としたことを特徴とする請求項１に記載のセールスプロモーションシステム。
【請求項４】
前記キャンペーン提携マッチング管理サイトが作成し、前記マッチングサイト訪問顧客に供する前記キャンペーン提携状況及び商品価格値引き販売情報一覧画面には、少なくともクライアント企業名、提携店舗における値引き対象商品、提携店舗での対象商品販売の際に抽選もしくは一律値引きかの形態、単一商品当たりの値引き額、キャンペーン開始期日、同終了予定期日、キャンペーン時間制限到達時の打切り、延長指定、該キャンペーン商品の宣伝広告、該キャンペーンに提携するインターネット店舗一覧及び各店舗の特徴情報を表記し、該画面閲覧者が、画面表記中の前記提携インターネット店舗の店舗名をクリックすることにより、該インターネット店舗サイトへ飛越し商品の値引き購入を可能としたことを特徴とする請求項１に記載のセールスプロモーションシステム。
【請求項５】
クライアントが前記提携インターネット店舗に対しクライアント広告閲覧回数のノルマを課し、キャンペーン終了期日到達時、結果として同インターネット店舗がノルマ未達成の場合、同店舗に対し、その後一定期間内のキャンペーン提携応募不可もしくは永久応募不可の処置を通告することを可能としたことを特徴とする請求項１に記載のセールスプロモーションシステム。
【請求項６】
クライアントの前記提携インターネット店舗で、キャンペーン期間中に前記インターネット店舗訪問顧客に対し該クライアントからの原資提供による値引きを実施する際、該顧客が該インターネット店舗サイト画面上で一連の買物手続き操作を進める過程で、前記キャンペーン提携マッチング管理サイトへ一旦飛越し、同顧客がクライアント広告を閲覧したことを前提に値引き権利を取得し、再度該インターネット店舗サイトに復帰する手順が形成されることで、値引きによる買物を可能としたことを特徴とする請求項１に記載のセールスプロモーションシステム。
【請求項７】
クライアント広告には、キャンペーン商品自体の購入クーポン情報を付加することが可能であり、該クーポンが前記提携インターネット店舗のサイト訪問顧客による一連の買物操作過程でプリントアウトされた場合の実績採取及び該キャンペーン商品を販売するリアル店舗の協力による同クーポン使用による買物実績採取による統計化機能等を容易に付加可能としたことを特徴とする請求項１に記載のセールスプロモーションシステム。
【発明の詳細な説明】
【技術分野】
【０００１】
本発明は、インターネットを利用し商品販売キャンペーンの広告宣伝を行いたいクライアントと、該広告宣伝に協力したい第三者インターネット店舗がマッチングサイト上で提携し、提携したインターネット店舗に対し、同キャンペーン広告を同店舗サイト上で掲載し店舗来訪顧客にアピールすることを義務付け、一方該見返り条件として、クライアントが同店舗販売促進に関る商品価格値引き資金を同店舗に提供することで、提携インターネット店舗側にとって収益拡大、クライアントにとってはキャンペーン広告の露出頻度向上、提携インターネット店舗訪問顧客にとっては商品値引き特典を獲得することができ、ステークホルダー全員が利益獲得を可能とすることを特徴とするセールスプロモーションシステム。
【背景技術】
【０００２】
旧来の商品値引きの手法としては、商品購入の際に店舗会員の特権として付与されるポイント制度が一般的である。これらサービスは流通業界では常識レベルのものとなっており、インターネット店舗の差別化には殆ど結びつかない。特にこのポイントが大規模ショッピングモール共通ポイントとなれば、更に差別化は困難である。またインターネット上での広告、店舗への誘導に就いては、リスティング広告、アフィリエイト広告等の手法が存在するが、効果を発揮させるには、付帯的に様々な工夫と試行が必要であるのが実情である。
【０００３】
このような背景において発案されたのが本発明である。
キーポイントとしては、クライアントがインターネットを利用し商品販売キャンペーンの広告宣伝を行う際に、マッチングサイト上にて提携希望者を募集し、提携した第三者インターネット店舗に対し、該キャンペーン広告を同店舗サイト上で掲載し来訪顧客にアピールすることを取引条件として、該店舗販売促進に関る商品価格値引き資金を提供する。
その結果、クライアント広告の露出度頻度向上、該店舗は集客力が向上し収益拡大に結びつき、店舗来訪顧客にも満足を与えることになることが上げられる。
【０００４】
これまでの商品値引き手法としては、店舗において商品購入の際に店舗会員の特権として付与されるポイント制度、もしくはリアル店舗で用いられる手法として、値引き金額を記載した複数粘着ラベルを台紙に搭載したシートを店舗入店者に配布し、顧客が買物対象商品に任意に貼付け、レジ精算と同時にラベル記載金額が値引きされる仕組みが知られて
いる。（例えば、文献１参照）
特許文献１では、リアル店舗での単なる値引きサービスのみであり、第三者クライアントのセールスプロモーションとは結びつかない。また今後ますます拡大するであろうインターネット通販市場に適用するには更なる検討が必要と観られ、発明としての完成度は低いものと評価せざるを得ない。
【先行技術文献】
【特許文献】
【０００５】
【特許文献１】特開２０１０−２６２２０４号公報
【発明の概要】
【発明が解決しようとする課題】
【０００６】
本発明は、インターネット上での広告宣伝効果向上が可能であり、それらを実現するためには、提携するインターネット店舗の集客力向上、同店舗訪問顧客の満足度向上が必要であり、それら課題解決が急務であると考える。
【０００７】
つまり、背景技術においては、リアル店舗での小幅な値引き手法による顧客サービスに限定しており、それらをインターネット上に展開するには無理がある。本発明では、インターネットでの流通市場における課題を広範囲に亘り解決し実用性の高いセールスプロモーションシステムを提供することを目的としている。
【課題を解決するための手段】
【０００８】
上述した課題を解決し、目的を達成するために、本発明のセールスプロモーションシステムは、インターネットを利用し商品販売キャンペーンの広告宣伝を行いたいクライアントと、該広告宣伝に協力したい第三者インターネット店舗がマッチングサイト上で提携することにより、同インターネット店舗で買物を行うインターネット店舗訪問顧客を含むステークホルダー全員が利益獲得を可能とするセールスプロモーションシステムであって、
１）クライアント側に、広告宣伝内容、該キャンペーン提携者募集情報の紹介を可能とするクライアント側情報端末と、
２）第三者インターネット店舗側に、クライアント提供情報の閲覧、該提携者募集情報に呼応し参加申請を可能とするインターネット店舗側情報端末と、
３）第三者マッチングサイト訪問顧客側に、クライアントと第三者インターネット店舗との提携状況を閲覧し、該キャンペーンに参加するための手続きを可能とするマッチングサイト訪問顧客側情報端末と、
４）クライアント、第三者インターネット店舗及び第三者マッチングサイト訪問顧客の間にインターネットを介し位置するキャンペーン提携マッチング管理サイトにおいて、キャンペーン提携ホームページ画面、運営要領解説画面、クライアント会員登録画面、クライアントキャンペーン情報公開及び提携者募集要領登録画面、キャンペーン提携成果確認画面を含むクライアントインターフェイス部と、
５）クライアント、第三者インターネット店舗及び第三者マッチングサイト訪問顧客の間にインターネットを介し位置するキャンペーン提携マッチング管理サイトにおいて、キャンペーン提携ホームページ画面、運営要領解説画面、インターネット店舗会員登録画面、インターネット店舗会員提携申請画面、提携確定通知及び自店舗サイトリンク操作画面を含むインターネット店舗会員インターフェイス部と、
６）クライアント、第三者インターネット店舗及び第三者マッチングサイト訪問顧客の間にインターネットを介し位置するキャンペーン提携マッチング管理サイトにおいて、キャンペーン提携ホームページ画面、運営解説画面、キャンペーン提携状況及び商品価格値引き販売情報一覧画面を含むマッチングサイト訪問顧客インターフェイス部と、
７）クライアント会員に関する情報を登録管理するクライアント会員情報登録データベースと、
８）インターネット店舗会員に関する情報を登録管理するインターネット店舗会員情報登録データベースと、
９）クライアントが提供するキャンペーン情報及び提携者募集情報を管理登録するクライアントキャンペーン情報データベースと、
10）キャンペーン終了後にクライアントからインターネット店舗に対し支払われる提携料金の確定情報を登録管理する提携料金確定情報データベースと、
11）提携した各々のインターネット店舗の成果として、少なくともキャンペーン期間中のクライアント広告閲覧回数ノルマ達成率情報を管理登録する提携成果情報データベースと、
12）クライアントとインターネット店舗との提携成立情報及び該付帯条件情報を管理登録する提携成立情報データベースと、
13）クライアントから提供されるキャンペーン提携者募集条件と、応募した第三者インターネット店舗の申請内容を照合し、少なくとも複数応募者間のキャンペーンノルマ配分の決定を行う提携具体化調整機能部と、
14）キャンペーン提携中のインターネット店舗のキャンペーンノルマの達成進捗状況を
リアルタイムに監視する提携作業進捗監視機能部と、
15）キャンペーン提携したインターネット店舗のクライアント広告閲覧回数ノルマ達成率情報をもとに該店舗に対し支払うべき提携料金の計算を行う提携料金精算機能部と
を備え、クライアントがインターネットを利用し商品販売キャンペーンの広告宣伝を行う際に、提携した第三者インターネット店舗（提携インターネット店舗）に対し、該キャンペーン広告を同店舗サイト上で掲載しインターネット店舗訪問顧客にアピールすることを義務付け、一方該見返り条件として、同店舗販売促進に関る商品価格値引き資金を同店舗に提供すること及び該キャンペーン実施要領を本発明に関るキャンペーン提携マッチング管理サイトにて公開し、該内容を閲覧した第三者マッチングサイト訪問顧客を該提携インターネット店舗での買物行為に誘導し、更に該提携インターネット店舗サイトを直接訪問したインターネット店舗訪問顧客に対しても該クライアントが値引きサービスを伴うキャンペーン実施中である旨をアピールすることにより、同店舗の買物件数が増加し、前記提携インターネット店舗にとっては値引き原資補填効果による収益拡大、クライアントにとってはキャンペーン広告の露出頻度向上、前記提携インターネット店舗の訪問顧客にとっては商品値引き特典を獲得することができ、ステークホルダー全員が利益獲得を可能とすることを特徴とする。
【０００９】
ここで、上記４）のクライアント会員登録画面には、企業名、本店所在地、設立年月日、代表者名、資本金、業務内容、同社サイトURL、前年度売上高、キャンペーン担当名、
同連絡先電話番号、同Eメールアドレスが登録されている。
【００１０】
また、上記５）のインターネット店舗会員登録画面には、企業名（店舗名）、本店所在地、設立年月日、資本金、同社サイトURL、出店市場、前年度売上高、サイト窓口担当者名、同連絡先電話番号、同Eメールアドレス、提携料金振込口座情報が登録されている。
【００１１】
次に、上記の本発明のセールスプロモーションシステムにおいて、クライアントが情報登録し前記第三者インターネット店舗に供する前記クライアントキャンペーン情報公開及び前記提携者募集要領登録画面には、少なくともクライアント企業名、提携料金総額、提携店舗における値引き対象商品指定、提携店舗での対象商品販売の際に抽選もしくは一律値引きかの形態指定、単一商品当たりの値引き額指定、キャンペーン開始予定期日、同終了予定期日、キャンペーン制限時間到達時クライアント要求ノルマ未達成時のキャンペーン打切りもしくは続行の判断を行うタイムオーバー処理指定、インターネット店舗の所属ショッピングモール指定、該キャンペーン提携への募集店舗希望数指定、及び該キャンペーン商品の宣伝広告を登録する機能を備える構成とされたことを特徴とする。
【００１２】
また、上記の本発明のセールスプロモーションシステムにおいて、前記キャンペーン提携マッチング管理サイトが作成し、クライアントに供するキャンペーン提携成果確認画面には、少なくとも提携各店舗名、各店舗対応のキャンペーン開始期日、同終了期日、クライアント広告閲覧回数に関するノルマと実績、同実績到達に関るキャンペーン時間タイムオーバー有無情報、各店舗獲得値引き資金額、各店舗獲得資金額合計値を表記する機能を備える構成とされたことを特徴とする。
【００１３】
また、上記の本発明のセールスプロモーションシステムにおいて、前記キャンペーン提携マッチング管理サイトが作成し、前記マッチングサイト訪問顧客に供するキャンペーン提携状況及び商品価格値引き販売情報一覧画面には、少なくともクライアント企業名、提携店舗における値引き対象商品、提携店舗での対象商品販売の際に抽選もしくは一律値引きかの形態、単一商品当たりの値引き額、キャンペーン開始期日、同終了予定期日、キャンペーン時間制限到達時の打切り、延長指定、該キャンペーン商品の宣伝広告、該キャンペーンに提携するインターネット店舗一覧及び各店舗の特徴情報を表記し、該画面閲覧者が、画面表記中の前記提携インターネット店舗の店舗名をクリックすることにより、該インターネット店舗サイトへ飛越し商品の値引き購入を可能とする機能を備える構成とされたことを特徴とする。
【００１４】
また、上記の本発明のセールスプロモーションシステムにおいて、クライアントが前記提携インターネット店舗に対しクライアント広告閲覧回数のノルマを課し、キャンペーン終了期日到達時、結果として同インターネット店舗がノルマ未達成の場合、同店舗に対し、その後一定期間内のキャンペーン提携応募不可もしくは永久応募不可の処置を通告することを可能とする機能を備える構成とされたことを特徴とする。
【００１５】
また、上記の本発明のセールスプロモーションシステムにおいて、クライアントの前記提携インターネット店舗で、キャンペーン期間中に来訪顧客に対し該クライアントからの原資提供による値引きを実施する際、該顧客が該インターネット店舗サイト画面上で一連の買物手続き操作を進める過程で、前記キャンペーン提携マッチング管理サイトへ一旦飛越し、同顧客がクライアント広告を閲覧したことを前提に値引き権利を取得し、再度該インターネット店舗サイトに復帰する手順が形成されることで、値引きによる買物を可能とする機能を備える構成とされたことを特徴とする。
【００１６】
また、上記の本発明のセールスプロモーションシステムにおいて、クライアント広告には、キャンペーン商品自体の購入クーポン情報を付加することが可能であり、該クーポンが前記提携インターネット店舗のサイト訪問顧客による一連の買物操作過程でプリントアウトされた場合の実績採取及び該キャンペーン商品を販売するリアル店舗の協力による同クーポン使用による買物実績採取による統計化機能等を容易に付加可能とする機能を備える構成とされたことを特徴とする。
【００１７】
上述の如く、本発明は、クライアントがインターネットを利用し商品販売キャンペーンの広告宣伝を行う際に、提携した第三者インターネット店舗に対し、該キャンペーン広告を同店舗サイト上で掲載し店舗訪問顧客にアピールすることを義務付け、一方該見返り条件として、同店舗販売促進に関る商品価格値引き資金を同店舗に提供すること及び該キャンペーン実施要領を前記キャンペーン提携マッチング管理サイトにて公開し、該内容を閲覧した第三者マッチングサイト訪問顧客を該提携インターネット店舗での買物行為に誘導し、更に該提携インターネット店舗サイトを直接訪問した顧客に対しても該クライアントが値引きサービスを伴うキャンペーン実施中である旨をアピールするものである。
【００１８】
インターネット上での広告、店舗への誘導手法に就いては、リスティング、アフィリエイト広告等が知られている。しかしながらこれらに資金投入しても、クライアントの商品、企業名をインターネット利用者に大きくアピールすることは容易ではない。既述２手法ともに検索が容易になされなければ効果は期待できない。リスティングの場合は、検索キーの決定がポイントであり、それにより検索率が大きく左右される。またアフィリエイトの場合は、提携者サイトの集客力がポイントであり、この提携者には個人のブロガー等も多く含まれており、協力者として全面的にあてにできないのが実態である。
【００１９】
一方話題は転じるが、例えば「楽天」等ショッピングモールへのインターネット店舗出店は容易であるが故に、年々その店舗数は増加している。しかしながら出店しても期待通りに集客できないとの悩みを持つ店舗数も増加している。つまり競合他店との価格競争が激しく、この差別化に悩まされているのが実態である。以上の如き課題解決に寄与する手段を提供するのが本発明である。
【００２０】
本課題解決の手段としては、広告宣伝を行いたいクライアントが有力な提携者をインターネット上で発掘することであり、更にその提携者に資金提供することで、その役割を確実に果たさせることである。具体的には、クライアントがインターネットを利用し商品販売キャンペーンの広告宣伝を行う際に、本発明に関るキャンペーン提携マッチングサイトに会員登録の上参加し、同サイト上で提携者に相当するインターネット店舗の募集を行う。
この場合、提携者をインターネット店舗とする理由としては、確実に来店者が期待できることであり、提携者が一般ブロガーのケースとは格段の違いがある。また募集時には該クライアントの広告を提携店舗に掲載した際の露出度に関るノルマを課するため、そのレベルに対応可能な集客力を有する店舗に集約することが可能である。またこれら店舗に対してはノルマ達成を取引条件として、販売促進に関る商品価格値引き資金を提供すること
で広告宣伝効果を確実にするものである。
【発明の効果】
【００２１】
本発明は、インターネット上での広告宣伝、インターネット店舗運営上の悩み解決が可能であり、具体的には提携インターネット店舗にとっては値引き原資補填効果による収益拡大、クライアントにとってはキャンペーン広告の露出頻度向上、提携インターネット店舗訪問顧客にとっては商品値引き特典を獲得することができ、ステークホルダー全員が利益獲得を可能とし、インターネットの利用拡大に貢献するものである。
【図面の簡単な説明】
【００２２】
【図１】セールスプロモーションシステム構成図
【図２】クライアントインターフェイス部画面構成図
【図３】インターネット店舗会員インターフェイス部画面構成図
【図４】マッチングサイト訪問顧客インターフェイス部画面構成図
【図５】クライアント会員登録画面例
【図６】インターネット店舗会員登録画面例
【図７】クライアントキャンペーン情報公開及び提携者募集要領登録画面例
【図８】キャンペーン提携成果確認画面例
【図９】インターネット店舗会員提携申請画面例
【図１０】提携確定通知及び自店舗サイトリンク操作画面例
【図１１】キャンペーン提携状況及び商品価格値引き販売情報一覧画面例
【図１２】提携インターネット店舗サイト訪問顧客による値引き商品購入手順イメージ解説図
【発明を実施するための最良の形態】
【００２３】
以下に、添付図面を参照して、この発明に関わるセールスプロモーションシステムの実施の形態を詳細に説明する。但し、本発明の範囲は、図示に限定されるものではない。
【実施例１】
【００２４】
先ず、図１を基にセールスプロモーションシステム構成に就き説明する。
クライアントがインターネットを利用し商品販売キャンペーンの広告宣伝を行う際に、本発明に関るキャンペーン提携マッチングサイトに会員登録の上参加し、同サイト上で提携者に相当するインターネット店舗の募集を行う。その募集内容を閲覧したインターネット店舗の内、その募集条件に見合う店舗がそれに応募し、同マッチングサイト上で提携が成立する。提携条件としては、該インターネット店舗サイトにおいてクライアント商品の広告を掲載し、来店顧客の内、商品値引き購入を希望する顧客に確実に閲覧披露させることで宣伝効果を期待するものであり、該広告閲覧顧客数がノルマとして課せられる。一方その見返り条件としてクライアントは店舗に対し既述商品値引きの原資を提供するものであり、これら一連の手続きを実現するのがこのシステムである。
クライアントの会員登録情報はクライアント会員情報登録データベース１０８に、インターネット店舗会員情報はインターネット店舗会員情報登録データベース１１３に格納管理される。クライアントは任意時点でキャンペーン実施及び提携者募集登録が可能であり、その内容はクライアントキャンペーン情報データベースに格納管理され、同時にキャンペーン提携マッチングサイト１２０でインターネット上に公開される。但しこの内容は、インターネット店舗会員のみ閲覧が可能となる。インターネット店舗が応募すると、提携具体化調整機能部１１４により審査し、審査をパスしたものは提携店舗として認定され、
その結果は該インターネット店舗に通知される。それら一連の情報は、提携成立情報データベース１１５に格納管理され、この情報の一部はマッチングサイト訪問顧客閲覧用としてインターネット上で一般公開される。キャンペーン期間中は、提携作業進捗監視機能部１１６により、各提携店舗の提携活動情報がリアルタイムに吸い上げられ、その結果は提携成果情報データベース１１１に格納管理される。キャンペーンが終了すると、提携料金精算機能部１１７によりクライアントから提携インターネット店舗に支払うべき料金計算を行い、その結果は、提携料金確定情報データベースに格納管理され、同時に該クライアントに対し通知される。
【００２５】
次に、図２を基に、クライアントインターフェイス部画面構成に就き説明する。
（a）〜（e）の要素を含んでおり、登録、モニター画面により構成される。    
【００２６】
次に、図３を基に、インターネット店舗会員インターフェイス部画面構成に就き説明する。
（a）〜（e）の要素を含んでおり、登録、モニター画面により構成される。
【００２７】
次に、図４を基に、マッチングサイト訪問顧客インターフェイス部画面構成に就き説明する。
（a）〜（c）の要素を含んでおり、モニター画面により構成される。
【００２８】
次に、図５を基に、クライアント会員登録画面例に就き説明する。
会員登録に必要な情報の入力画面例である。
【００２９】
次に、図６を基に、インターネット店舗会員登録画面例に就き説明する。
会員登録に必要な情報の入力画面例である。
【００３０】
次に、図７を基に、クライアントキャンペーン情報公開及び提携者募集要領登録画面例
に就き説明する。
クライントが、提携インターネット店舗を募集するための情報及びマッチングサイト訪問顧客に提携状況を公開するための元となる情報入力画面例である。
【００３１】
次に、図８を基に、キャンペーン提携成果確認画面例に就き説明する。
クライアントがこの内容を閲覧し、キャンペーン提携成果及び自らが負担すべき費用に就き把握する。
【００３２】
次に、図９を基に、インターネット店舗会員提携申請画面例に就き説明する。
クライアントからの募集に対し、インターネット店舗が、その提携に応募申請する際の入力画面例である。
【００３３】
次に、図１０を基に、提携確定通知及び自店舗サイトリンク操作画面例に就き説明する。
提携が成立したことを応募したインターネット店舗に通知する際の画面例である。
【００３４】
次に、図１１を基に、キャンペーン提携状況及び商品価格値引き販売情報一覧画面例に就き説明する。
マッチングサイト訪問顧客がモニターする画面であり、この内容を閲覧することによりマッチングサイト訪問顧客は、複数キャンペーンの実施状況と提携インターネット店舗を把握することができる。一覧表右半分に記される店舗名をクリックすることで、その店舗サイトに飛越するため、容易に値引き商品購入が可能となる。
【００３５】
次に、図１２を基に、提携インターネット店舗サイト訪問顧客による値引き商品購入手順イメージ解説に就き説明する。
インターネット店舗サイトに顧客が訪問し、値引き特典を受けつつ商品購入を行う手順イメージを表記しており、図中に記される「クライアント広告サイト」とは、実運用上は本発明に関るキャンペーン提携マッチング管理サイトに相当する。
【００３６】
さて、これまで本発明の実施の形態に就いて説明したが、本発明は既述した実施の形態以外にも、上記特許請求の範囲に記載した技術的思想の範囲内において種々異なる実施の形態に実施されてもよいものである。
【００３７】
実施例において説明した各処理の内、自動的に行われるものとして説明した処理の全部または一部を人為作業にて行うことも可能である。またあるいは人為的に行うものとして説明した処理の全部または一部を公知の方法で自動的に行うこともできる。この他、既述文章中で示した処理手順、具体的名称に就いては、特記する場合を除いて任意に変更することができる。また図示した各構成要素は機能概念的なものであり、必ずしも物理的に図示の如く構成されていることを要しない。
【産業上の利用可能性】
【００３８】
本発明は、種々のセールスプロモーションシステムに利用できる。
【符号の説明】
【００３９】
１０１  インターネット
１０２  インターネット店舗会員情報端末
１０３  クライアント情報端末
１０４  マッチングサイト訪問顧客情報端末
１０５  インターネット店舗会員インターフェイス部
１０６  クライアントインターフェイス部
１０７  マッチングサイト訪問顧客インターフェイス部
１０８  クライアント会員情報登録データベース
１０９  クライアントキャンペーン情報データベース
１１０  提携料金確定情報データベース
１１１  提携成果情報データベース
１１３  インターネット店舗会員情報登録データベース
１１４  提携具体化調整機能部
１１５  提携成立情報データベース
１１６  提携作業進捗監視機能部
１１７  提携料金精算機能部
１２０  キャンペーン提携マッチング管理サイト  
【図１】
2013105476.tif 000003
【図２】
2013105476.tif 000004
【図３】
2013105476.tif 000005
【図４】
2013105476.tif 000006
【図５】
2013105476.tif 000007
【図６】
2013105476.tif 000008
【図７】
2013105476.tif 000009
【図８】
2013105476.tif 000010
【図９】
2013105476.tif 000011
【図１０】
2013105476.tif 000012
【図１１】
2013105476.tif 000013
【図１２】
2013105476.tif 000014